(57)【特許請求の範囲】
【請求項１】
スピーカーであって、
コーン形状の振動部を有し、音を発生させるスピーカーユニットと、
前記振動部の中央に挿入配置され、前記振動部に光を照射するライティング装置と、を含み、
前記ライティング装置は、
発光素子を有するライティングモジュールと、
前記ライティングモジュールから発生する光を前記振動部に向けて拡散させるように構成されているライティング拡散部と、
を含み、
前記ライティング拡散部は、前記ライティングモジュールの周囲を取り囲むように構成されており、かつ、前記ライティング拡散部の外側表面は、前記ライティングモジュールから発生する光が分散または屈折を通じて前記振動部に到達できるように湾曲しており、
前記ライティング拡散部は、前記ライティング拡散部の半径方向において外に向かって突き出すように曲がっている、
ことを特徴とするスピーカー。
【請求項２】
前記スピーカーユニットは、前記振動部の中央に設けられる保持部；を含み、
前記ライティング装置は、前記保持部に保持されることを特徴とする請求項１に記載のスピーカー。
【請求項３】
前記ライティング拡散部は、
中空部を有する柱の形状に設けられ、外面が凹凸構造に形成される凹凸部；を含むことを特徴とする請求項１に記載のスピーカー。
【請求項４】
前記凹凸部は、
その内側の前記発光素子によって発生する熱を排出するように通風孔；を含むことを特徴とする請求項３に記載のスピーカー。
【請求項５】
前記凹凸部は、
突出形成される突出部と；
前記突出部に隣接して前記突出部より相対的に凹状に設けられる凹部と；を含み、
前記突出部及び前記凹部のうちいずれか１つは、不透明に形成され、他の１つは、透明に形成されることを特徴とする請求項３に記載のスピーカー。
【請求項６】
前記ライティング装置は、
前記ライティング拡散部の下部が保持され、前記振動部の中央に保持及び固定される保持部；をさらに含むことを特徴とする請求項１に記載のスピーカー。
【請求項７】
前記保持部は、耐熱性材質で形成されることを特徴とする請求項６に記載のスピーカー。
【請求項８】
前記保持部は、
前記発光素子に電気的信号を伝達するワイヤが通るワイヤホールが形成された支持管；を含むことを特徴とする請求項６に記載のスピーカー。
【請求項９】
前記ライティング装置は、
前記ライティングモジュールが内側に保持され、中空部を有する前記ライティング拡散部の上部を覆うカバー；を含むことを特徴とする請求項１に記載のスピーカー。
【請求項１０】
前記発光素子は、前記振動部の中央を通る仮想の軸上に配置されることを特徴とする請求項１に記載のスピーカー。
【請求項１１】
前記ライティング装置は、
前記ライティングモジュールから発生する光を前記振動部に拡散させるために中央部が突出した折れ曲がった面で前記ライティング拡散部の内部に設けられる屈折部材；をさらに含むことを特徴とする請求項１に記載のスピーカー。
【請求項１２】
前記ライティングモジュールは、前記ライティング拡散部の上端に設けられ、
前記屈折部材は、前記ライティング拡散部の下端で前記屈折部材の突出した部分の方向が前記ライティングモジュールの照射方向と同一に配置され、光を反射する材質で形成されることを特徴とする請求項１１に記載のスピーカー。
【請求項１３】
前記ライティングモジュールは、前記ライティング拡散部の上端に設けられ、
前記屈折部材は、前記ライティングモジュールを覆い、前記屈折部材の突出した部分が前記ライティングモジュールの照射方向と同一になるように設けられ、光を貫通及び屈折させる材質で形成されることを特徴とする請求項１１に記載のスピーカー。
【請求項１４】
前記ライティングモジュールは、前記ライティング拡散部の下端に設けられ、
前記屈折部材は、前記ライティング拡散部の上端で前記屈折部材の突出した部分が前記ライティングモジュールの照射方向と反対になるように配置され、光を反射する材質で形成されることを特徴とする請求項１１に記載のスピーカー。
【請求項１５】
前記スピーカーユニットは、
マグネットと、前記マグネットの上下に設けられる上部プレート及び下部プレートと、前記マグネットの中央に配置されるポールピースとを有し、磁気回路を構成する磁気回路部と；
前記マグネットと前記ポールピースとの間に設けられるボイスコイルと、前記ボイスコイルが設置されるボビンとを有し、前記磁気回路部と作用して前記振動部に振動を起こす振動系と；を含むことを特徴とする請求項１に記載のスピーカー。
【請求項１６】
スピーカーであって、
マグネットと、前記マグネットの上下に設けられる上部プレート及び下部プレートと、前記マグネットの中央に配置されるポールピースとを有し、磁気回路を構成する磁気回路部と、
前記マグネットと前記ポールピースとの間に設けられ、前記磁気回路部と作用するボイスコイルと、前記ボイスコイルが設置され、軸方向に移動するボビンと、前記ボビンの移動によって振動を発生させて音を発生させる振動部とを有し、前記磁気回路部が形成する磁気回路によって移動可能に設けられる振動系と、
前記振動部の中央に挿入配置され、前記振動部に光を照射するライティング装置と、を含み、
前記ライティング装置は、
発光素子を有するライティングモジュールと、
前記ライティングモジュールから発生する光を前記振動部に拡散させるように少なくとも一部が光透過性材質で形成され、前記ライティングモジュールの周囲に設けられるライティング拡散部と、を含み、
前記ライティング拡散部は、前記ライティングモジュールの周囲を取り囲むように構成されており、かつ、前記ライティング拡散部の外側表面は、前記ライティングモジュールから発生する光が分散または屈折を通じて前記振動部に到達できるように湾曲しており、
前記ライティング拡散部は、前記ライティング拡散部の半径方向において外に向かって突き出すように曲がっている、
ことを特徴とするスピーカー。
【請求項１７】
前記ライティング装置は、前記ポールピースの上部に固定及び保持されることを特徴とする請求項１６に記載のスピーカー。
【請求項１８】
前記ライティング拡散部は、
そのまわりに沿って凹凸構造が形成された凹凸部を有し、中空部が形成された円柱の形状に形成されることを特徴とする請求項１６に記載のスピーカー。
【請求項１９】
前記ライティング装置は、
前記ライティング拡散部の一側が保持及び固定される固定部と、前記ポールピースに設けられる貫通ホールに挿入され、前記ライティングモジュールに電気的信号を伝達するワイヤが通ることができるように前記固定部まで延長する中空部であるワイヤホールが形成された支持管とを有する保持部；をさらに含むことを特徴とする請求項１６に記載のスピーカー。
【請求項２０】
前記保持部は、前記磁気回路部と前記ライティング拡散部との間で相互離隔させるように設けられることを特徴とする請求項１９に記載のスピーカー。
【請求項２１】
前記保持部は、耐熱性材質で形成されることを特徴とする請求項１９に記載のスピーカー。
【発明の詳細な説明】
【技術分野】
【０００１】
本出願は、２０１３年６月２８日に出願された韓国特許出願第２０１３−００７５１２５号及び２０１３年１月４日に出願された米国仮特許出願第６１／７４８，９３１号の優先権を主張し、その全文は、本明細書に参照として援用される。
【０００２】
例示的な実施形態は、スピーカー振動部に光を照射するライティング装置を備えたスピーカーに関するのである。
【背景技術】
【０００３】
通常、スピーカーは、オーディオアンプから出力される電気信号を振動部の振動に切り替えて空気に疏密波を発生させて音波を輻射する音響機器であって、作動する方式によって、マグネチック型、ダイナミック型、コンデンサー型、圧電型、セラミック型など多数の種類がある。
【０００４】
従来技術のスピーカーは、アンプで電気的信号を入力されて、振動部が上下に振動して音響を出力するように構成された機器であって、聴覚的な音響効果を提供した。
【０００５】
すなわち、従来技術のスピーカーは、単純に音声信号を出力する機能を有しているため、さらに多様な欲求、特に視覚的な欲求の充足を所望するユーザには、スピーカーの外形が画一的に大同小異で、満足度が劣る問題点があった。
【０００６】
このような問題点を解決するために、スピーカーの外部に別にランプを設置し、スピーカーの外観を美しくする製品が提供されたことがあるが、ランプ自体に光が遮られるか、その効果が劣る問題があった。
【発明の概要】
【発明が解決しようとする課題】
【０００７】
したがって、例示的な実施形態の一態様は、ライティング装置によって振動部に光を拡散及び反射することができるスピーカーを提供することにである。
【０００８】
他の態様は、下記説明で部分的に説明し、部分的には、その説明から省略するか、本開示内容の実施によって学習されることもできる。
【課題を解決するための手段】
【０００９】
例示的な実施形態の一態様によれば、スピーカーは、スピーカー装置とライティング装置を含む。スピーカー装置は、音を発生させるように構成されることができ、コーン形状の振動部を具備することができる。ライティング装置は、振動部の中央に挿入配置され、前記振動部に光を照射することができる。
【００１０】
前記スピーカーは、前記振動部の中央に設けられる保持部をさらに含むことができる。前記ライティング装置は、前記保持部に保持されることができる。
【００１１】
前記ライティング装置は、発光素子を有するライティングモジュールと；前記ライティングモジュールから発生する光を前記振動部に拡散させるように前記ライティングモジュールの周囲をくるむように設けられる光拡散部とを含むことができる。
【００１２】
前記光拡散部は、前記ライティングモジュールから発生する光を分散または屈折させて、前記振動部に到達するようにするために、外面が折れ曲がるように形成されるプリズムを含むことができる。
【００１３】
前記光拡散部は、外面が凹凸構造で形成された柱の形状に設けられた凹凸部を含むことができる。
【００１４】
前記凹凸部は、前記発光素子によって発生した熱を排出するように通風孔；を含むことができる。前記通風孔は、前記凹凸部の内側に設けられることができる。
【００１５】
前記凹凸部は、突出形成される突出部と；前記突出部に隣接して前記突出部より相対的に凹状に設けられる凹部と；を含み、前記突出部と前記凹部のうちいずれか１つは、不透明に形成され、残りの１つは、透明に形成されることを特徴とする。
【００１６】
前記ライティング装置は、前記光拡散部の下部が保持され、前記振動部の中央に保持及び固定される保持部；をさらに含むことを特徴とする。
【００１７】
前記保持部は、耐熱性材質で形成されることを特徴とする。
【００１８】
前記保持部は、前記発光素子に電気的信号を伝達するワイヤが通るワイヤホールが形成された支持管；を含むことを特徴とする。
【００１９】
前記ライティング装置は、前記ライティングモジュールが内側に保持され、中空部を有する前記光拡散部の上部を覆うカバー；を含むことを特徴とする。
【００２０】
前記発光素子は、前記振動部の中央を通る仮想の軸線上に配置されることを特徴とする。
【００２１】
前記ライティング装置は、前記ライティングモジュールから発生する光を前記振動部に拡散させるために、中央部が突出した折れ曲がった面で前記光拡散部の内部に設けられる屈折部材；をさらに含むことを特徴とする。
【００２２】
前記ライティングモジュールは、前記光拡散部の上端に設けられ、前記屈折部材は、前記光拡散部の下端で前記屈折部材の突出した部分の方向が前記ライティングモジュールの照射方向と同一に配置され、光を反射する材質で形成されることを特徴とする。
【００２３】
前記ライティングモジュールは、前記光拡散部の上端に設けられ、前記屈折部材は、前記ライティングモジュールを覆い、前記屈折部材の突出した部分が前記ライティングモジュールの照射方向と同一になるように設けられ、光を貫通及び屈折させる材質で形成されることを特徴とする。
【００２４】
前記ライティングモジュールは、前記光拡散部の下端に設けられ、前記屈折部材は、前記光拡散部の上端で前記屈折部材の突出した部分が前記ライティングモジュールの照射方向と反対となるように配置され、光を反射する材質で形成されることを特徴とする。
【００２５】
前記スピーカー装置は、マグネットと、前記マグネットの上下に設けられる上部プレート及び下部プレートと、前記マグネットの中央に配置されるポールピースとを有し、磁気回路を構成する磁気回路部と；前記マグネットと前記ポールピースとの間に設けられるボイスコイルと、前記ボイスコイルが設置されるボビンとを有し、前記磁気回路部と作用して前記振動部に振動を起こす振動系と；を含むことを特徴とする。
【００２６】
例示的な実施形態の他の態様によれば、スピーカーは、マグネットと、前記マグネットの上下に設けられる上部プレート及び下部プレートと、前記マグネットの中央に配置されるポールピースとを有し、磁気回路を構成する磁気回路部と；前記マグネットと前記ポールピースとの間に設けられ、前記磁気回路部と作用するボイスコイルと、前記ボイスコイルが設置され、軸方向移動するボビンと、前記ボビンの移動によって振動を発生させて音を発生させる振動部とを有し、前記磁気回路部が形成する磁気回路によって移動可能に設けられる振動系と；前記振動部の中央に挿入配置され、前記振動部に光を照射するライティング装置と；を含むことを特徴とする。
【００２７】
前記ライティング装置は、前記ポールピースの上部に固定及び保持されることを特徴とする。
【００２８】
前記ライティング装置は、発光素子を有するライティングモジュールと；前記ライティングモジュールから発生する光を前記振動部に拡散させるように少なくとも一部が光透過性材質で形成され、前記ライティングモジュールの周囲に設けられる光拡散部と；を含むことを特徴とする。
【００２９】
前記光拡散部は、その周りに沿って凹凸構造が形成された凹凸部を有し、中空部が形成された円柱の形状で形成されることを特徴とする。
【００３０】
前記ライティング装置は、前記光拡散部の一側が保持及び固定される固定部と、前記ポールピースに設けられる貫通ホールに挿入され、前記ライティングモジュールに電気的信号を伝達するワイヤが通ることができるように前記固定部まで延長する中空部に対応するワイヤホールが形成された支持管とを有する保持部；をさらに含むことを特徴とする。
【００３１】
前記保持部は、前記磁気回路部が前記光拡散部から離隔することができるように設けられることを特徴とする。
【００３２】
前記保持部は、耐熱性材質で形成されることを特徴とする。
【００３３】
例示的な一実施形態の一態様は、音を発生させるように構成され、振動部を具備するスピーカー装置と、真空部に光を照射するように振動部の中央に挿入配置されるライティング装置とを含むスピーカーを提供することができ、ライティング装置は、発光素子を有するライティングモジュールと；ライティングモジュールから発生する光が振動部に向けて拡散するようにライティングモジュールを取り囲むように構成された光拡散部とを含み、光拡散部は、分散や屈折を通じてライティングモジュールから発生する光が振動部に到逹することができるようにする。
【００３４】
スピーカー装置は、コーン形状であることができ、光拡散部は、外面が折れ曲がったプリズムを含むことができる。
【００３５】
光拡散部は、柱の形状に設けられた凹凸部を含むことができ、凹凸部は、突出形成された突出部と；突出部に隣接して形成され、突出部に比べて凹設される凹部とを含む柱形状に設けられることができる。
【００３６】
突出部及び凹部のうち１つは、不透明であってもよく、残りの１つは、透明であってもよい。
【発明の効果】
【００３７】
本発明のスピーカーは、ライティング装置を設置し、スピーカーの振動部に光を照射することができ、音楽信号の強弱によって動くようにすることができ、ビジュアルサウンド効果を出すことができる。
【図面の簡単な説明】
【００３８】
例示的な実施形態のこのような態様及び／または他の態様は、自明であり、添付の図面とともに下記説明からさらに容易に認識される。
【図１】例示的な一実施形態によるスピーカーを示す斜視図。
【図２】例示的な一実施形態によるスピーカーを示す分解断面図。
【図３】例示的な一実施形態によるスピーカーを示す分解断面図。
【図４】例示的な一実施形態によるスピーカーを示す断面図。
【図５ａ】例示的な一実施形態による光拡散部を示す図である。
【図５ｂ】例示的な一実施形態による光拡散部を示す図である。
【図５ｃ】例示的な一実施形態による光拡散部を示す図である。
【図６ａ】例示的な一実施形態によるライティングモジュールを示す図である。
【図６ｂ】例示的な一実施形態によるライティングモジュールを示す図である。
【図７】例示的な他の一実施形態によるスピーカーを示す図である。
【図８】例示的なさらに他の一実施形態によるスピーカーを示す図である。
【図９】例示的なさらに他の一実施形態によるスピーカーを示す図である。
【図１０】例示的なさらに他の一実施形態によるスピーカーを示す図である。
【発明を実施するための形態】
【００３９】
以下、例示的な実施形態を、類似の参照番号が類似の要素を示す添付の図面を参照して詳しく説明する。
【００４０】
図１は、例示的な一実施形態によるスピーカーを示す斜視図である。図２は、例示的な一実施形態によるスピーカーを示す分解断面図である。図３は、例示的な一実施形態によるスピーカーを示す分解断面図である。図４は、例示的な一実施形態によるスピーカーを示す断面図である。図５ａ、図５ｂ、図５ｃは、例示的な一実施形態による光拡散部を示す図である。図６ａ、図６ｂは、例示的な一実施形態によるライティングモジュールを示す図である。
【００４１】
例示的な実施形態は、スピーカー装置２０のセンター部分にライティング装置１００を設置して、スピーカー１０の振動部４２に多数の光が振動部４２に散布され、音楽信号の強弱によって動くようにして、ビジュアル効果を極大化することができるライティング装置１００に関するものである。
【００４２】
スピーカー１０は、スピーカー装置２０とライティング装置１００を含んで構成される。スピーカー装置２０は、スピーカー１０で音響が発生して出力される部分であって、磁気回路部３０、振動系４０、フレーム５５を含んで構成される。
【００４３】
磁気回路部３０は、スピーカー１０に音響を発生させるように電気的信号が伝達される部分である。磁気回路部３０には、マグネット３４と、マグネット３４の上下にそれぞれ設けられる上部プレート３２及び下部プレート３６と、マグネット３４の中央に配置されるポールピース３８とを含んで構成される。
【００４４】
振動系４０は、音響が発生して振動として出力される部分であって、マグネット３４とポールピース３８間のギャップ３８ｂに設けられるボイスコイル４６と、ボイスコイル４６が設置されるボビン４４と、磁気回路部３０が形成する磁気回路によって移動可能に設けられる振動部４２と、振動部４２の端部とフレーム５５との間に配置されるエッジ５０と、フレーム５５とボビン４４との間に設けられるスパイダー４８とを含んで構成される。
【００４５】
スピーカー装置２０は、電気的信号が入力されれば、ボビン４４のボイスコイル４６に電気的信号が流れ、これによって、マグネット３４による磁場の中に配置されているボイスコイル４６がフレミングの左手の法則によって力が作用しながら、この力によってボイスコイル４６と結合された振動部４２が振動する原理で音響を出力する。
【００４６】
振動部４２は、音響に依存する可変振動によって外部に音を伝達する機能をし、中央部で凹状の漏斗形状またはコーンの形状を有する。振動部４２の形状は、これに限定されない。振動部４２は、ライティング装置１００によって光が照射されるとき、これを散乱させることなく、鮮明に光を表示することができる材質を有する。
【００４７】
ライティング装置１００は、スピーカー１０の振動部４２に光を照明し、音楽信号の強弱によって光の強弱、光の噴射程度、光の動き、光の色などを調節し、ビジュアルサウンド効果を極大化する装置である。ライティング装置１００の高さは、光が振動部４２の全体に散布され得るようにスピーカー装置２０の振動部４２のサイズによって異なるように適用される。
【００４８】
ライティング装置１００は、スピーカー装置２０の振動部４２の中央に設けられる保持部６０に挿入配置される。具体的に、ライティング装置１００は、ポールピース３８の上部に固定され得るように設けられることができる。
【００４９】
ライティング装置１００は、ライティングモジュール１１０及び少なくとも１つの光拡散部１２０を含んで構成される。
【００５０】
ライティングモジュール１１０は、ＰＣＢ  １１１と、ＰＣＢ  １１１に配置される少なくとも１つの発光素子１１２とを含んで構成される。発光素子１１２の配置は、これに限定されず、例示的な実施形態によれば、本発明の図面には、振動部４２に均一に光を照射するためにＰＣＢ  １１１の中心を基準としてＰＣＢ  １１１の外側に一定の間隔で離隔して発光素子１１２のうち少なくとも１つの発光素子が配置され、複数個の発光素子１１２の場合には、複数の発光素子１１２間の一定の間隔で配置されることができる。
【００５１】
発光素子１１２は、単色、複数の色を有することができ、光の方向は、多方向に光を拡散する機能をする。発光素子１１２は、ＬＥＤを含む。発光素子１１２は、スピーカー装置２０の振動部４２の前面または後面に配置されることができる。具体的に、本発明の一実施形態では、振動部４２の前面に配置され、振動部４２に光を照射するように構成されるが、例示的な実施形態は、これに限定されない。例示的な他の実施形態では、発光素子１１２が、屈折部材１２６ａによって振動部４２に光を照射するように振動部４２の後面に配置される。
【００５２】
発光素子１１２は、振動部４２の中央を通る仮想の軸上に配置されることができる。このように真空部の中央に発光素子１１２を配置することによって、振動部４２に光を照射するに際して、効率的な照明効果をもたらすことができる。
【００５３】
ＰＣＢ  １１１には、ワイヤ１１４から電気的信号を伝達されるためにワイヤ１１４の一側が結合されるワイヤ結合部１１３を含んで構成される。
【００５４】
ワイヤ１１４は、電気的信号をＰＣＢ  １１１に伝達することができるように、一側は、ＰＣＢ  １１１のワイヤ結合部１１３と、他側は、スピーカー装置２０の外部と連結される。
【００５５】
光拡散部１２０は、ライティングモジュール１１０から発生する光を振動部４２に拡散させるようにライティングモジュール１１０の周囲をくるむように設けられる構成である。光拡散部１２０は、ライティングモジュール１１０から発生する光を振動部４２に拡散させるように少なくとも一部が光透過性材質で形成されることができる。
【００５６】
光拡散部１２０は、ライティングモジュール１１０から発生する光を分散または屈折させて振動部４２に到達するようにするために、その外面が折れ曲がるようにプリズムで形成されたことを含むことができる。
【００５７】
具体的に、中空部を有する柱の形状に設けられ、外面が凹凸構造で形成される凹凸部１２２を含むことができる。
【００５８】
凹凸部１２２は、光拡散部１２０の外面に沿って突出する突出部１２２ａまたは凸部と、突出部１２２ａに隣接して突出部１２２ａより相対的に凹状に設けられる凹部１２２ｂとを含むことができる。
【００５９】
凹凸部１２２は、透明な材質で形成され、その屈曲による散乱または屈折によって振動部４２に光を照射してもよいが、光の明暗が明らかに区分され得るように突出部１２２ａと凹部１２２ｂのうちいずれか１つは、不透明に形成され、残りの１つは、透明に形成されてもよい。好ましくは、透明部と不透明部が交差するように配置される。不透明部分は、二重射出や腐食表面処理加工によって製造されることができるが、これに限定されない。
【００６０】
凹凸部１２２上には、少なくとも１つの通風孔１２４が設けられることができる。具体的に、凹部１２２ｂ上に通風孔１２４が設けられ、光拡散部１２０の内側で発光素子１１２の発光によって発生する熱が外部に流出されることができるようにする。
【００６１】
光拡散部１２０の形状は、これに限定されず、光拡散部１２０の外観は、さまざまな形状と多数の色相を有することができる。
【００６２】
保持部１３０は、光拡散部１２０が保持され、電気的信号を伝達するワイヤ１１４が貫通するように構成される。保持部１３０は、光拡散部１２０の一側が保持、固定され得るように固定部１３２が設けられ、固定部１３２を貫通してワイヤ１１４をガイドするように支持台ホールが設けられる。保持部１３０は、スピーカー装置２０のボイスコイル４６の入力によってスピーカー装置２０によって生成される温度の上昇に耐えることができる材質であることが好ましい。保持部１３０は、耐熱性材質で形成されることができる。
【００６３】
また、保持部１３０は、光拡散部１２０とワイヤ１１４が直接磁気回路部３０と振動部４２に接触しないように離隔させる機能をもする。
【００６４】
固定部１３２は、光拡散部１２０の一側が保持される円板形状の保持床部１３２ａと、光拡散部１２０の一側の側面をくるむように具備される保持側面部１３２ｂとを含んで構成される。  支持管１３４は、発光素子１１２に電気的信号を伝達するワイヤ１１４が通るワイヤホール１３４ａが形成された管である。支持管１３４は、ワイヤ１１４が磁気回路部３０を経て外部と連結され得るようにワイヤ１１４をガイドする機能をすることができる。ワイヤホール１３４ａは、固定部１３２まで延長する中空形状を有することができる。
【００６５】
具体的に、ポールピース３８に支持管１３４が通ることができるように貫通ホール３８ａが設けられ、光拡散部１２０が固定された保持部１３０を保持部６０に保持させると同時に、保持部１３０の支持管１３４を貫通ホール３８ａに挿入してワイヤ１１４が磁気回路部３０または振動部４２で発生する熱によって損傷されないようにガイドすることができる。
【００６６】
カバー１４０は、光拡散部１２０の外側の端部に配置され、光拡散部１２０の内部が外部から露出しないように構成されることができる。光拡散部１２０とカバー１４０は、本実施形態のように、別個の構成で具備されてもよく、一体に形成され、光拡散部１２０の中空部の一側をシールするようにしてもよい。
【００６７】
カバー１４０の光拡散部１２０の内側方向の一面には、ライティングモジュール固定部１４２が設けられる。ライティングモジュール固定部１４２は、ライティングモジュール１１０を固定させてライティングモジュール１１０で発生する光が振動部４２の全体に散布され得るようにスピーカー装置２０の振動部４２のサイズによって異なるように長さが適用される。
【００６８】
キャップ１５０は、ポールピース３８を貫通するように設けられる支持管１３４の端部に設けられ、ワイヤホール１３４ａを通るワイヤ１１４を固定させ、ワイヤホール１３４ａをシールする構成である。キャップ１５０は、本発明の図面のように、支持管１３４に設けられるねじ溝（図示せず）にねじ１５２を結合して固定されてもよく、接着可能に設けられ、支持管１３４の端部に接着されてもよい。
【００６９】
以下は、前記構成によるスピーカーの動作について記述する。スピーカー装置２０の中央部分にライティング装置１００を設置し、ライティング装置１００内に設置されたライティングモジュール１１０のワイヤ１１４に電気的信号が印加されることによって、発光素子１１２がオンとされる。発光素子１１２から発生する光は、光拡散部１２０の形状によって屈折または分散して振動部４２に照射される。
【００７０】
この際、照射される光は、スピーカー装置２０での振動部４２の振動と連動して強弱によって動きを示すこともでき、音楽信号の強弱によって光の強弱、光の噴射程度、光の動き、光の色などを調節することができ、ビジュアルサウンド効果を極大化できる。
【００７１】
以下、例示的な他の一実施形態によるスピーカーを添付の図面を参照して詳しく説明する。
【００７２】
以下の実施形態に関する説明では、前述した例示的な実施形態と同一の構成についてはその説明を省略する。
【００７３】
図７は、例示的な他の実施形態によるスピーカーを示す図である。
【００７４】
屈折部材１２６ａ、１２６ｂ、１２６ｃ、１２６ｄ（図７〜図１０）は、ライティングモジュール１１０の発光素子１１２で照射される光を四方に分布させるように屈折させることができる構成であって、中央部が突出した折れ曲がった面で構成されることができる。
【００７５】
屈折部材１２６ａ、１２６ｂ、１２６ｃ、１２６ｄの突出した部分が光拡散部１２０内で発光素子１１２の照射方向の同じ方向または反対方向に配置されることができる。また、場合によって、屈折部材１２６は、光が透過することができるレンズのような材質で形成されてもよく、光を反射させる鏡のような材質で形成されてもよい。
【００７６】
例示的な一実施形態によれば、屈折部材１２６ａは、その突出方向が発光素子１１２ａの照射方向と同一の方向に配置され、発光素子１１２ａを覆うように配置されることができる。また、屈折部材１２６ａは、光を透過することができる材質で形成されることができる。
【００７７】
このような構成を通じて、発光素子１１２ａから発生する光が屈折部材１２６ａを経由しながら屈折され、光が照射される角度を広げることによって、振動部４２の広い領域に光を照射することができる。
【００７８】
図８は、例示的なさらに他の一実施形態によるスピーカーを示す図面である。
【００７９】
例示的な実施形態による屈折部材１２６ｂは、その突出方向が発光素子１１２ｂの照射方向と対向する方向に配置され、光を反射する材質で構成されることができる。発光素子１１２ｂが位置するライティングモジュール１１０は、支持管１３４の端部に配置され、支持管１３４のワイヤホール１３４ａを通じて光拡散部１２０の内部に光を照射することができる。
【００８０】
屈折部材１２６ｂは、カバー１４０の光拡散部１２０の内側の一面に配置され、照射した光は、屈折部材１２６ｂによって反射し、光拡散部１２０を経て振動部４２に照射されることができる。
【００８１】
図９は、例示的なさらに他の一実施形態によるスピーカーを示す図である。
【００８２】
例示的な本実施形態による屈折部材１２６ｃは、その突出方向が発光素子１１２ｃの照射方向と対向する方向に配置され、光を反射する材質で構成されることができる。発光素子１１２ｃが配置されるライティングモジュール１１０は、光拡散部１２０の内側で保持部１３０に近いように配置されることができ、屈折部材１２６ｃは、カバー１４０の光拡散部１２０内側の一面に配置されることができる。
【００８３】
すなわち、屈折部材１２６ｃは、光拡散部１２０においての一側に、発光素子１１２ｃは、光拡散部１２０においての他側に配置されることができる。
【００８４】
このような構成で、発光素子１１２ｃから照射した光は、屈折部材１２６ｃによって反射し、光拡散部１２０を経て振動部４２に照射することができる。
【００８５】
図１０は、例示的なさらに他の一実施形態によるスピーカーを示す図である。
【００８６】
例示的な本実施形態による屈折部材１２６ｄは、その突出方向が発光素子１１２ｄの照射方向の反対方向に配置され、光を反射する材質で構成されることができる。発光素子１１２ｄが位置するライティングモジュール１１０は、本発明の一実施形態のように、カバー１４０の内側に配置される。
【００８７】
例示的な本実施形態による屈折部材１２６ｄは、光拡散部１２０の内側で振動部４２の中央側の端部に対応する高さに配置されることができる。
【００８８】
このような構成で、発光素子１１２ｄから照射した光は、屈折部材１２６ｄによって反射し、光拡散部１２０を経て振動部４２に照射されることができる。
【００８９】
以上では、様々な例示的な実施形態について図示し説明した。しかし、前述した例示的な実施形態にのみ限定されず、当該発明の属する技術分野における通常の知識を有する者なら以下の請求範囲に記載した発明の技術的思想の要旨を逸脱することなく、多様に変更実施することができる。
【符号の説明】
【００９０】
１０      スピーカー
２０      スピーカー装置
３０      磁気回路部
３２      上部プレート
３４      マグネット
３６      下部プレート
３８      ポールピース
３８ａ    貫通ホール
３８ｂ    ギャップ
４０      振動系
４２      振動部
４４      ボビン
４６      ボイスコイル
４８      スパイダー
５０      エッジ
５５      フレーム
６０      保持部
１００    ライティング装置
１１０    ライティングモジュール
１１１    ＰＣＢ
１１２    発光素子
１１３    ワイヤ結合部
１１４    ワイヤ
１２０    光拡散部
１２２    凹凸部
１２２ａ  突出部
１２２ｂ  凹部
１２４    通風孔
１２６ａ、１２６ｂ、１２６ｃ、１２６ｄ  屈折部材
１３０    保持部
１３２    固定部
１３２ａ  保持床部
１３２ｂ  保持側面部
１３４    支持管
１３４ａ  ワイヤホール
１４０    カバー
１４２    ライティングモジュール固定部
１５０    固定キャップ
１５２    ねじ
【図１】
0006268188.tif 000002
【図２】
0006268188.tif 000003
【図３】
0006268188.tif 000004
【図４】
0006268188.tif 000005
【図５ａ】
0006268188.tif 000006
【図５ｂ】
0006268188.tif 000007
【図５ｃ】
0006268188.tif 000008
【図６ａ】
0006268188.tif 000009
【図６ｂ】
0006268188.tif 000010
【図７】
0006268188.tif 000011
【図８】
0006268188.tif 000012
【図９】
0006268188.tif 000013
【図１０】
0006268188.tif 000014